(57)【要約】【課題】機器の電源プラグを電力分配器から誤って抜き取ることを防止する誤抜防止装置を提供する。【解決手段】電源遮断制御部は、機器の電源プラグを電力分配器のコンセントから抜き取り可能であるか否かが設定された電源遮断判定情報を受信し、受信した電源遮断判定情報の設定に基づいて高周波に変換した電源遮断判定信号を生成し、供給元電源から機器が有する電源部へ電力を供給する電力線の電力信号と、電源遮断判定信号とを合成する。電力分配器は、電源遮断制御部から送信された電力信号から電源遮断判定信号を抽出して、電源遮断判定情報を復調し、高周波信号受信部において復調された電源遮断判定情報が、機器の電源プラグを電力分配器のコンセントから抜き取り可能であることを示すとき、抜き取り可能であることを表示する指示を状態表示器にする。【選択図】図１
2010287014.tif 000002
【特許請求の範囲】
【請求項１】
機器と電源ケーブルを介して接続される電力分配器を備える誤抜防止装置であって、
前記誤抜防止装置は、
前記機器から送信される、前記機器の電源プラグを電力分配器のコンセントから抜き取り可能であるか否かが設定された電源遮断判定情報を受信する電源遮断判定情報受信部と、
受信した前記電源遮断判定情報の設定に基づいて高周波に変換した電源遮断判定信号を生成する変換部と、
供給元電源から前記機器が有する電源部へ電力を供給する電力線の電力信号と、前記電源遮断判定信号とを合成する合成部とを備える電源遮断制御部とを備え、
前記電力分配器は、
前記電源遮断制御部から送信された電力信号から前記電源遮断判定信号を抽出して、前記電源遮断判定情報を復調する高周波信号受信部と、
前記高周波信号受信部において復調された電源遮断判定情報が、前記機器の電源プラグを電力分配器のコンセントから抜き取り可能であることを示すとき、抜き取り可能であることを表示する指示を状態表示器に行う判定部を備えることを特徴とする誤抜防止装置。
【請求項２】
前記電力分配器は、
前記コンセントごとの差込口と電力線の間に、他の差込口への前記電源遮断判定信号の漏れを阻止するコイルを備えることを特徴とする請求項１に記載の誤抜防止装置。
【請求項３】
前記電力分配器に第２の電力分配器のコンセントから電力が供給されているとき、
前記電力分配器の複数の前記コンセントに接続される全ての前記機器の前記電源プラグが前記コンセントから抜き取り可能であるか否かの判定結果に基づいて高周波に変換した電源遮断判定信号を生成し、前記電源遮断判定信号を前記電力線の電力信号に合成させ前記第２の電力分配器へ送信可能とする高周波信号送信部を備えることを特徴とする請求項１〜２のいずれかに記載の誤抜防止装置。
【請求項４】
前記機器は、
前記機器の入力装置からの、電源プラグを電力分配器のコンセントから抜いて電源遮断をしてもよい状態であるか否かの入力に基づいて設定された前記電源遮断判定情報を前記電源遮断情報受信部に送信することを特徴とする請求項１〜３のいずれかに記載の誤抜防止装置。
【発明の詳細な説明】
【技術分野】
【０００１】
本発明は、機器の電源プラグを電力分配器から誤って抜き取ることを防止する技術に関する。
【背景技術】
【０００２】
近年、システムセンター、サーバルームなどでは、一つの架（筐体）に複数のサーバ、端末などの機器（情報処理装置など）が設置されており、テーブルタップに複数台の機器の電源プラグが接続されていることがある。例えば、点検や工事を行うとき、抜いてはいけない機器の電源プラグを、誤ってテーブルタップなどの電力分配器から抜いてしまうことがある。その場合、機器の利用者の通信が切断されるなどの損害が発生する。
【０００３】
例えば、保守作業等で対象となる電気機器の電源プラグの抜き取りを、容易かつ確実に行う技術が知られている。すなわち、複数のコンセントに差込まれた電源プラグに対応する電気機器であるコンピュータ機器の使用状態を検出する。各コンピュータ機器が、電源オン状態にあるとき、各電流検出回路によって電源プラグ側に流れる電流を検出する。このとき、各フリップフロップからオンパルスが出力されることで、検出の状態を表示素子によって表示する。
【０００４】
また、コンセントより電力を受けている電化製品の製品名および定格消費電力をコンセント自体が把握し、表示することで、電源プラグの誤った引抜を防止する技術が知られている。例えば、ホームサーバが、分岐ブレーカーの負荷側の電化製品の使用状況を把握して、分岐ブレーカーの遮断原因となる電化製品の使用を防止する。さらに、電化製品の制御が可能であるホームサーバを、インターネットに接続して携帯電話等よりインターネットを介して、電化製品の制御および使用状態の把握が可能となる技術が知られている。
【先行技術文献】
【特許文献】
【０００５】
【特許文献１】特開２０００−３０５６６１号公報
【特許文献２】特開２００７−２９９６２４号公報
【特許文献３】特開２００８−１９８８７１号公報
【特許文献４】特開２００４−３０９３０号公報
【発明の概要】
【発明が解決しようとする課題】
【０００６】
しかしながら、タイマー起動待ちの機器は電源プラグが非通電状態であるため通電が検出されない。また、機器自体が起動していないと当該機器の状態を通知することができない。したがって、いずれの場合も対応する機器の電源プラグを電力分配器から誤って抜いてしまう可能性がある。
【０００７】
上記のような実情に鑑みてなされたものであり、機器の電源プラグを電力分配器から誤って抜き取ることを防止する誤抜防止装置を提供することを目的とする。
【課題を解決するための手段】
【０００８】
態様のひとつである機器と電源ケーブルを介して接続される電力分配器を備える誤抜防止装置は、電源遮断制御部と電力分配器を備えている。
電源遮断制御部は、電源遮断判定情報受信部、変換部、合成部を備えている。電源遮断判定情報受信部は、機器の制御部から送信される、上記機器の電源プラグを電力分配器のコンセントから抜き取り可能であるか否かが設定された電源遮断判定情報を受信する。変換部は、上記電源遮断判定情報の設定に基づいて高周波に変換した電源遮断判定信号を生成する。合成部は、供給元電源から上記機器が有する電源部へ電力を供給する電力線の電力信号に、上記電源遮断判定信号を合成させる。
【０００９】
また、上記電力分配器は、高周波信号受信部、判定部を備えている。
高周波信号受信部は、上記電源遮断制御部から送信された電力信号から上記電源遮断判定信号を抽出して、上記電源遮断判定情報を復調する。判定部は、前記高周波信号受信部において復調された電源遮断判定情報が、上記機器の電源プラグを電力分配器のコンセントから抜き取り可能であることを示すときは、抜き取り可能であることを表示する指示を状態表示器にする。
【発明の効果】
【００１０】
あらかじめ電源管理表等に登録する等の人手による事前準備をすることなしに、機器の電源プラグを、電力分配器から誤って外すことを防止することができる。
【図面の簡単な説明】
【００１１】
【図１】実施例１の誤抜防止装置の一例を示す図である。
【図２】実施例１の電源遮断制御部の一例を示す図である。
【図３】実施例１の電力分配器の一例を示す図である。
【図４】実施例１における情報処理装置に電源投入したときの情報処理装置の電源遮断不可設定動作を示すフロー図である。
【図５】実施例１における運用時に電源遮断が可能であることが、ユーザにより指示された場合の情報処理装置の電源遮断可設定動作を示すフロー図である。
【図６】実施例１における電源遮断制御部の電源遮断判定情報受信部の動作を示すフロー図である。
【図７】実施例１における電力分配器の高周波信号受信部の動作を示すフロー図である。
【図８】実施例１における電力分配器の判定部の動作を示すフロー図である。
【図９】実施例２の誤抜防止装置の一例を示す図である。
【図１０】実施例２の電力分配器の一例を示す図である。
【図１１】実施例２における高周波信号の送信制御の動作を示すフロー図である。
【発明を実施するための形態】
【００１２】
以下図面に基づいて、本発明の実施形態について詳細に説明する。
（実施例１）
図１は実施例１の誤抜防止装置１の一例を示す図である。誤抜防止装置１は情報処理装置２、電源遮断制御部３、電力分配器４を有している。
【００１３】
情報処理装置２は、制御部５、電源部６、記録部７、電力線接続部９、信号線接続部１０を備えている。制御部５は電源遮断指示部８を備えている。また、電力分配器４は、コンセント１３、１４、１７、状態表示器１８、１９、１１０を備えている。
【００１４】
情報処理装置２は、端末（例えば、ＰＣ（Personal Computer））、サーバ、ハードディスク、磁気テープ装置などのＣＰＵ（Central Processing Unit）やプログラマブルなデバイスを搭載した機器である。図１では情報処理装置２の一例として制御部５（ＣＰＵやプログラマブルなデバイス）と記録部７を備えた装置を示す。なお、電源遮断指示部８は、専用ソフトを制御部５にインストールしたものであってもよい。
【００１５】
電源部６は、元電源から電力分配器４のコンセント１３、電源プラグ１２、電源ケーブル１１、電源遮断制御部３、電力線接続部９を介して電力が供給され、供給された電力を適切な電力に変換して情報処理装置２の図示しない内部回路に供給する。なお、電源部６は、装置内蔵型、集合型、外付型（ＡＣアダプタ）などであってもよい。
【００１６】
記録部７には、制御部５が実行するプログラムやデータが記録されている。また、ワークエリアなどとして使用される。
電源遮断指示部８は、例えば利用者が入力する電源遮断（電源プラグ抜き取り）の可否の指示に従って後述する電源遮断判定情報を生成する。電源遮断指示部８への電源遮断の可否の指示は、例えば、情報処理装置２に接続される表示機（ディスプレーなど）に電源遮断の可否の設定画面を表示し、利用者が表示機から電源遮断の可否の設定を入力する。電源遮断の可否の設定が入力されると、電源遮断指示部８は、上記可否の設定に従い電源遮断判定情報を生成する。
【００１７】
本例では、表示機などからソフトウェアを用いて電源遮断の可否（電源ケーブルの抜き取りの可否）を指示しているが、情報処理装置２にスイッチなどを設けて電源遮断の可否を指示してもよい。
【００１８】
次に、電源遮断指示部８は、生成した電源遮断判定情報に通信で用いる情報（通信用コード）を付加して、制御部５の有する不図示の通信制御部に送信する。その後、通信制御部から電源遮断制御部３へ電源遮断判定情報が送信される。
【００１９】
ここで、通信方式は特に限定するものではないが、例えばＵＳＢ（Universal Serial Bus）、ＲＳ２３２Ｃなどの通信を用いることが望ましい。
なお、制御部５としてＣＰＵを採用した場合、電源遮断指示部８は、制御部５にインストールされたソフトウェアの一部のモジュールである。
【００２０】
電源遮断制御部３は、情報処理装置２から送信される、情報処理装置２に接続される電源プラグ１２を電力分配器４のコンセント１３から抜いて電源遮断をしてもよい状態であるか否かが設定された電源遮断判定情報を、後述する電源遮断判定情報受信部２１により受信する。また、電源遮断制御部３の合成部２３は、情報処理装置２が有する電源部６へ供給元電源から電力線を介して電力を供給する電力信号と、電源遮断判定情報の設定に基づいて変換部２２により高周波変換（または、変調）して生成した電源遮断判定信号を合成する。
【００２１】
電力分配器４は１つ以上のコンセントを備え、電力供給元電源から電源ケーブル１１１供給される交流または直流の電力を分岐して、各コンセントに接続された情報処理装置２などに供給する。例えば、電力分配器４は、テーブルタップ、壁内コンセントボックス（固定）、屋内コンセントボックスなどに設けられたコンセントを介してコンセントに接続された情報処理装置２などに電力を供給する。
【００２２】
また、電力分配器４は図１の例ではコンセント１３、１４、１７に接続された他の情報処理装置２で用いる電源遮断判定信号の誤検出を防止するために、後述するフィルタ回路を介して、電源遮断制御部３から通知された電力信号に合成された電源遮断判定信号を抽出する。その後、電力分配器４は、電源遮断判定信号に基づいて電源遮断判定情報を復調し、情報処理装置の電源遮断が可能状態であるときは、電源遮断が可能状態であることを示す表示をし、電源遮断が不可状態であるときは、電源遮断が不可状態であることを示す表示をする。ここで、可否状態を表示は、例えば２色ＬＥＤを用いて、電源遮断不可機器接続あり、電源遮断可（電源プラグ１２を抜き取り可）と設定する。
【００２３】
（電源遮断制御部）
電源遮断制御部３について説明をする。図２は電源遮断制御部３の一例を示すブロック図である。電源遮断制御部３は、電源遮断判定情報受信部２１、変換部２２、合成部２３を備えている。電源遮断判定情報受信部２１は、情報処理装置２から送信される電源遮断判定情報を受信する。
【００２４】
変換部２２は、電源遮断判定情報の設定に基づいて電源遮断判定信号を生成する。例えば、変換部２２は、電源遮断判定情報を構成するビットに「１」があるときは高周波を予め設定した時間、またはパターンを送出する。変換部２２は、電源遮断判定情報を構成するビットに「０」がないときは予め設定した時間、高周波の送出を停止させることにより電源遮断判定信号を生成する。なお、ビット「１」に対応する高周波は、電力供給元電源から供給される電力信号よりも高周波に変換すればよい。好ましくは、高周波の周波数は３０ＭＨｚが望ましい。
【００２５】
例えば、電源遮断不可（電源プラグ抜き取り不可）を通知する電源遮断判定情報を、モールス信号のＮ（__――_−___）とすれば、（_）に「０」を対応させ、（―）に「１」を対応させ、「１」に対応した期間高周波を合成部２３に送出する。また、電源遮断可（電源プラグ抜き取り可）を通知する電源遮断判定情報をモールス信号のＦ（__−_−_――_−__）とする場合についても同様に、「１」に対応した期間高周波を合成部２３に送出する。
【００２６】
なお、電源遮断判定信号の生成に用いる変換（または変調）として、振幅変調、角度変調、周波数変調、位相変調、位相偏移変調、周波数偏移変調、振幅偏移変調、直交振幅変調などを用いてもよい。
【００２７】
合成部２３は、供給元電源から電源部６へ電力を供給する電力信号に、変換部２２により変換した電源遮断判定信号とを、既存の高速電力線通信（ＰＬＣ）技術などを用いて合成させる。なお、以後電力信号と電源遮断判定信号とを合成した信号を合成信号という。
【００２８】
（電力分配器）
図３は電力分配器４の一例を示す。図３では電力分配器４のコンセントが２個の場合について説明をする。電力分配器４は、電流検出器３１ａ、３１ｂ、コンセント３２ａ、３２ｂ（図１の１３、１４、１７）、制御部３３、状態表示器３７ａ、３７ｂ（図１の１８、１９、１１０）、プラグ３８を備えている。
【００２９】
コンセント３２ａ、３２ｂは、プラグ３８と接続されている電力線Ｌｉｎｅ１と電力線Ｌｉｎｅ２の間に設けられ、電源遮断制御部３の電源ケーブル１１、１６に接続される。抵抗Ｒ１の一方の端子は電力線Ｌｉｎｅ１に接続され、他方の端子はコイルＬ１ａの一方の端子に接続されている。コイルＬ１ａの他方の端子はコンセント３２ａの一方の差込口に接続されている。コンセント３２ａの他方の差込口はコイルＬ２ａの一方の端子に接続されている。コイルＬ２ａの他方の端子は電力線Ｌｉｎｅ２に接続されている。同様に、抵抗Ｒ２の一方の端子は電力線Ｌｉｎｅ１に接続され、他方の端子はコイルＬ１ｂの一方の端子に接続されている。コイルＬ１ｂの他方の端子はコンセント３２ｂの一方の差込口に接続されている。コンセント３２ｂの他方の差込口はコイルＬ２ｂの一方の端子に接続されている。コイルＬ２ｂの他方の端子は電力線Ｌｉｎｅ２に接続されている。
【００３０】
抵抗Ｒ１、Ｒ２はシャント抵抗などである。例えば、抵抗値が０．１Ωのとき１Ａの電流（情報処理装置２の消費電力が１００Ｗ）で、抵抗Ｒ１、Ｒ２の両端の電圧が０．１Ｖになる。
【００３１】
コイルＬ１ａ、Ｌ１ｂ、Ｌ２ａ、Ｌ２ｂはフィルタ（回路）である。コイルのリアクタンス（インピーダンス）は、２πｆＬと表せるので、高周波に対しては高いインピーダンスになるため、別の差込口への高周波信号（電源遮断判定信号）の洩れを阻止することができる。例えば、コイルのインダクタンスを１ｍＨとすると、３０ＭＨｚの高周波に対しては、１８８ＫΩのインピーダンスをもち、別の差込口への高周波信号（電源遮断判定信号）の洩れを阻止することができる。つまり、コイルＬ１ａ、Ｌ１ｂ、Ｌ２ａ、Ｌ２ｂにより、他の情報処理装置２に接続された電源遮断制御部３から出力される高周波信号（電源遮断判定信号）との干渉や衝突を防止することができる。なお、電力信号に対してはインピーダンスが小さいため、電力信号を通過させることができる。例えば、電力信号が交流であり周波数が５０Ｈｚまたは６０Ｈｚであるとき、０．３Ωのインピーダンスであるので電力信号を通過させることができる。
【００３２】
なお、本例ではフィルタ（回路）として、コイルＬ１ａ、Ｌ１ｂ、Ｌ２ａ、Ｌ２ｂを用いているが、同様の効果を得ることができる回路であれば限定するものではない。
電流検出器３１ａは、抵抗Ｒ１の両端の電圧値を測定して、制御部３３の判定部３６ａに電流に対応する電圧値（アナログ信号またはディジタル信号）を送信する。
【００３３】
電流検出器３１ｂは、電流検出器３１ａと同様に、抵抗Ｒ２の両端の電圧値を測定して、制御部３３の判定部３６ｂに電流に対応する電圧値（アナログ信号またはディジタル信号）を送信する。
【００３４】
なお、電流検出器３１ａ、３１ｂは、電流検出器３１ａ、３１ｂから判定部３６ａ、３６ｂに電圧値をアナログ信号により送信する際、制御部３３に入力可能な電圧値に調整して通知してもよい。また、電流検出器３１ａ、３１ｂは、適切な電圧値に調整したのちアナログ／ディジタル変換をして判定部３６ａ、３６ｂに通知してもよい。
【００３５】
次に、コンデンサＣ１ａの一方の端子は、コンセント３２ａの差込口の一方（コイルＬ１ａ）側に接続されている。コンデンサＣ２ａの一方の端子は、コンセント３２ａの差込口の他方（コイルＬ２ａ）側に接続されている。コンデンサＣ１ｂの一方の端子は、コンセント３２ｂの差込口の一方（コイルＬ１ｂ）側に接続されている。コンデンサＣ２ｂの一方の端子は、コンセント３２ｂの差込口の他方（コイルＬ２ａ）側に接続されている。
【００３６】
コンデンサＣ１ａ、Ｃ１ｂ、Ｃ２ａ、Ｃ２ｂは、高周波信号を、制御部３３に渡すためのフィルタ（回路）である。例えば、コンデンサのリアクタンス（インピーダンス）は、１／（２πｆＣ）で表すことができるので、キャパシタンスを１０ｐＦとすると、３０ＭＨｚの高周波に対しては、０．５３Ωのインピーダンスになるので高周波を通過させることができる。なお、コンデンサのリアクタンス（インピーダンス）は、電力信号が交流であり周波数が５０Ｈｚまたは６０Ｈｚであるとき、３００ＫΩのインピーダンスになるので電力信号は通過しない。
【００３７】
なお、本例ではフィルタ（回路）としてコンデンサＣ１ａ、Ｃ１ｂ、Ｃ２ａ、Ｃ２ｂを用いているが、同様の効果を得ることができる回路であれば限定するものではない。
制御部３３は、高周波信号受信部３４ａ、３４ｂ、メモリ３５ａ、３５ｂ、判定部３６ａ、３６ｂを有している。なお、制御部３３は、ＣＰＵやプログラマブルなデバイスを用いてもよい。
【００３８】
高周波信号受信部３４ａは、コンデンサＣ１ａ、Ｃ１ｂにより抽出された高周波信号（電源遮断判定信号）を受信する受信部と、高周波信号をアナログ／ディジタル変換するアナログ／ディジタル変換部を備えている。ただし、受信部とアナログ／ディジタル変換部は制御部３３の外部に設けてもよい。制御部３３の外部に受信部とアナログ／ディジタル変換部を設ける場合とは、例えば、制御部３３としてＣＰＵやプログラマブルなデバイスを用いたとき、ＣＰＵやプログラマブルなデバイスに受信部とアナログ／ディジタル変換部に相当する機能がない場合などである。また、高周波信号受信部３４ａは、アナログ／ディジタル変換部で変換した高周波信号を復調する復調部と、復調したデータから電源遮断判定情報を抽出する抽出部を備えている。高周波信号受信部３４ａは、抽出部で抽出した電源遮断判定情報を参照して、電源遮断不可であるか否かを判断し、判断した結果をメモリ３５ａに記録する。例えば、高周波信号受信部３４ａは、電源遮断不可が通知されたと判断すれば、メモリ３５ａにビット「０」を記録し、電源遮断可が通知されたと判断すれば、メモリ３５ａにビット「１」を記録する。なお、高周波信号受信部３４ｂは、高周波信号受信部３４ａと同様の動作をし、判断結果をメモリ３５ｂに記録する。
【００３９】
メモリ３５ａ、３５ｂは、上記判断結果を示すデータを記録する記録部である。なお、メモリ３５ａ、３５ｂはＣＰＵが備えるＲＡＭ（Random Access Memory）やＲＯＭ（Read Only Memory）またはＣＰＵのレジスタなどであってもよい。
【００４０】
判定部３６ａは、電流検出器３１ａから出力される信号（電圧値）と、メモリ３５ａから取得した電源遮断可であるか不可であるかを示すデータとに基づいて、後述する判定処理により情報処理装置２の電源プラグ１２をコンセント３２ａから抜いていいか否かを判定する。判定処理の結果、プラグを抜いていい場合には、状態表示器３７ａに電源遮断可の状態にする指示を通知し、プラグを抜いてはいけない場合、状態表示器３７ａに電源遮断不可の状態にする指示を通知する。
【００４１】
状態表示器３７ａ、３７ｂは、対応する情報処理装置２に接続されたプラグを抜いてよいか否かを差込口の近くに（ＬＥＤなどで）表示して誤抜を防止する。例えば、状態表示器３７ａ、３７ｂとして２色ＬＥＤ（赤／緑）を用いる場合、赤表示のときプラグ抜き取り不可、緑表示のときプラグ抜き取り可とする。
【００４２】
なお、状態表示器３７ａ、３７ｂは、通常はツイストロックの回転を抑止する突起が出ているが、抜き取り可能であるときは当該突起を縮退させるなどの抜き取りを物理的に抑止する機構に変えてもよい。
【００４３】
（動作説明）
図４、５に情報処理装置２の動作フローを示す。図４は情報処理装置２に電源投入したときの情報処理装置２の電源遮断不可設定指示動作を示すフロー図である。図５は運用時に電源遮断が可能であることが、ユーザにより指示された場合の情報処理装置２の電源遮断可設定指示動作を示すフロー図である。
【００４４】
（電源投入時の動作）
図４に示すステップＳ１では、情報処理装置２の制御部５が、電源が投入されたことを検出する。例えば、図１に示した場合であれば、プラグ１２がコンセント１３に挿入されると電源遮断制御部３を介して電源部６に電力が供給され、制御部５、記録部７に電源部６から電力が供給される。電力が供給されると、制御部５は電力が供給されたことを検出する。
【００４５】
ステップＳ２では、制御部５がステップＳ１で検出した電源投入されたことを、電源遮断指示部８に通知する。次に、電源遮断指示部８は電源遮断不可の設定をした電源遮断判定情報を生成する。次に、電源遮断指示部８は、電源遮断判定情報に通信に必要な情報を付加して、制御部５の有している電源遮断制御部３と通信を行う通信制御部に送信する。その後、通信制御部により電源遮断制御部３に電源遮断判定情報が送信される。
【００４６】
（ユーザにより指示された場合の動作）
図５のステップＳ５１では、ユーザが情報処理装置２の表示機（入力装置）などから入力したシャットダウン開始の指示（電源遮断指示）を、制御部５の受信部が受信する。
【００４７】
なお、本例ではユーザが情報処理装置２の表示機から直接シャットダウン開始の指示を通知しているが、サーバなどの上位のコントローラにネットワークを介して接続されていときは、上位のコントローラからシャットダウン開始の指示を行うことがある。上位のコントローラから間接的にシャットダウン開始の指示がされたときも、シャットダウン開始の指示を各情報処理装置（ＰＣ、サーバ、ハードディスク、磁気テープ装置などのＣＰＵやプログラマブルなデバイスを搭載した機器）が受信する。そして、各情報処理装置の制御部５はシャットダウン開始の指示が通知されたことを電源遮断指示部８に通知する。
【００４８】
ステップＳ５２では、制御部５がステップＳ５１でシャットダウン開始の指示がされたことを、電源遮断指示部８に通知する。次に、電源遮断指示部８は電源遮断可の設定をした電源遮断判定情報を生成する。次に、電源遮断指示部８は、電源遮断判定情報に通信に必要な情報を付加して、制御部５の有している電源遮断制御部３と通信を行う通信制御部に送信する。その後、通信制御部により電源遮断制御部３に電源遮断判定情報が送信される。
【００４９】
ステップＳ５３では、制御部５が情報処理装置２のシャットダウンを開始する。なお、このシャットダウン中に電源ケーブルを抜くことができないようにする処理については、後述する電力分配器４の動作説明で行う。
【００５０】
予め決められた時間にタイマーで起動する情報処理装置２においては、以下の条件で信号を送出する。
情報処理装置２の電力が遮断された状態から、電力が供給される状態（例えば、元電源から電力が供給される状態）に変わった時点で、制御部５は電力が供給されたことを検出する。その後、図４のステップＳ２と同様の動作を行う。また、情報処理装置２のスイッチまたはソフトウェアによりユーザが指示することにより、電源プラグを外してよい状態になったなら、「電源プラグを外してよい」という通知を送出する。
【００５１】
図６は電源遮断制御部３の電源遮断判定情報受信部２１の動作を示すフロー図である。
ステップＳ６１では、電源遮断判定情報受信部２１が制御部５から電源遮断判定情報を受信する。このとき、電源遮断判定情報受信部２１は電源遮断判定情報に付加されて送信された通信用コードと電源遮断判定情報を分ける。
【００５２】
ステップＳ６２では、電源遮断判定情報受信部２１が電源遮断判定情報に電源遮断可（電源プラグ抜き取り可能）、電源遮断不可（電源プラグ抜き取り不可）のどちらが設定されているかを判定する。電源遮断判定情報に電源遮断可であることが、設定されているときはステップＳ６４に移行し、電源遮断不可が設定されているときはステップＳ６３に移行する。
【００５３】
ステップＳ６３では、電源遮断判定情報受信部２１が電源遮断不可であることを変換部２２に通知する。また、ステップＳ６４では、電源遮断判定情報受信部２１が電源遮断可であることを変換部２２に通知する。変換部２２は、上記で説明したように電源遮断判定情報を電源遮断可／電源遮断不可に対応するデータに変換をして、変換したデータに対して高周波変換（または、変調）を行う。
【００５４】
図７は、電力分配器４の高周波信号受信部３４ａ（または３４ｂ）の動作を示すフロー図である。
ステップＳ７１では、高周波信号受信部３４ａがコンデンサＣ１ａ、Ｃ２ａにより抽出された高周波信号（電源遮断判定信号）を受信して、高周波信号をアナログ／ディジタル変換して復調し、復調したデータから電源遮断判定情報を抽出する。
【００５５】
ステップＳ７２では、高周波信号受信部３４ａが抽出した電源遮断判定情報を解析して、電源遮断不可であるか否かを判断し、電源遮断可が通知されたと判断した場合ステップＳ７５に移行し、電源遮断不可が通知されたと判断した場合ステップＳ７４に移行する。
【００５６】
ステップＳ７４では、高周波信号受信部３４ａが電源遮断不可であることをメモリ３５ａに記録する。ステップＳ７５では、高周波信号受信部３４ａが電源遮断可であることをメモリ３５ａに記録する。例えば、高周波信号受信部３４ａは、電源遮断不可が通知されたと判断すれば、メモリ３５ａにビット「０」を記録し、電源遮断可が通知されたと判断すれば、メモリ３５ａにビット「１」を記録する。
【００５７】
ステップＳ７１〜Ｓ７５では高周波信号受信部３４ａを対象に説明したが、高周波信号受信部３４ｂについても、高周波信号受信部３４ａと同様の動作をし、判断結果をメモリ３５ｂに記録する。
【００５８】
図８は、電力分配器４の判定部３６ａ（または３６ｂ）の動作を示すフロー図である。
ステップＳ８１は、情報処理装置２に電源投入した直後のメモリ３５ａの状態を示している。上述したように情報処理装置２に電源投入するとメモリ３５ａには、コンセント３２ａから情報処理装置２に電力を供給するための電源プラグの抜き取りができない状態であることが記録されている。本例では、メモリ３５ａに「０」が記録されているとき、電源プラグの抜き取りが不可の状態であることを示し、「１」が記録されているとき、電源プラグの抜き取りが可能な状態であることを示すものとする。なお、メモリ３５ａに記録されているデータを電源遮断判定データという。
【００５９】
ステップＳ８２では、判定部３６ａがメモリ３５ａから電源遮断判定データを読み込む。ステップＳ８３では、判定部３６ａが電源遮断判定データを解析して、コンセント３２ａからプラグを抜き取り可能な状態であるか否かを判定する。プラグ抜き取り可能であればステップＳ８６に移行し、プラグ抜き取り不可であればステップＳ８４に移行する。
【００６０】
ステップＳ８４では、判定部３６ａが状態表示器３７ａにプラグ抜き取り不可であることを指示する。この指示を受信した状態表示器３７ａは、プラグ抜き取り不可の表示をする。
【００６１】
ステップＳ８５では、判定部３６ａが予め決められた時間（ｎ秒）待った後、ステップＳ８２に移行する。なお、予め決められた時間はタイマーやカウンタなどを用いて計測する。また、予め決められた時間は、限定するものではないが例えば３０秒にすることが考えられる。
【００６２】
ステップＳ８６では、判定部３６ａが電流検出器３１ａから出力された信号（電流に対応する電圧値）を取得して、抵抗Ｒ１に予め設定した閾値以上の電流が流れているか否かを判定する。閾値より電流値が小さいとき（Ｎｏ）はステップＳ８８に移行し、閾値より電流値が大きいとき（Ｙｅｓ）はステップＳ８７に移行する。つまり、ステップＳ８６ではシャットダウンが終了し情報処理装置２への電力供給が実際に遮断されたか否かを判定している。
【００６３】
ステップＳ８７では、判定部３６ａが予め決められた時間（ｍ秒）待った後、ステップＳ８６に移行する。これはシャットダウン終了を待つものである。なお、予め決められた時間はタイマーやカウンタなどを用いて計測する。また、予め決められた時間は、限定するものではないが例えば３秒にすることが考えられる。
【００６４】
ステップＳ８８では、判定部３６ａが状態表示器３７ａにプラグ抜き取り可能であることを指示する。例えば、判定部３６ａは、抜き取り可能であるときハイレベル「１」を設定し、抜き取り不可であるときローレベル「０」を設定した信号を、判定結果として状態表示器３７ａに出力する。この指示を受信した状態表示器３７ａは、プラグ抜き取り可能の表示をする。
【００６５】
なお、上記では判定部３６ａの動作について説明したが、判定部３６ｂについても電流検出器３１ｂ、高周波信号受信部３４ｂ、メモリ３５ｂ、状態表示器３７ｂを用いて同様の動作をする。
【００６６】
電力分配器４の差込口ごとの判定部３６ａ、３６ｂが実行する判定処理（ステップＳ８１〜Ｓ８８）により次に示す判定結果を得る。
・情報処理装置２に電力が供給され、電流検出器３１ａ、３１ｂが電流を検出しているときは、情報処理装置２が使用中とみなし、抜き取り不可と判定する。
【００６７】
・電流を検出していないときに、情報処理装置２から電源プラグを抜き取りしてもよいという通知を検出したなら、抜き取り可能と判定する。
・情報処理装置２から電源プラグを抜き取りしてはいけないという通知を検出したなら、電流検出器３１ａ、３１ｂで、電流を検出している、いないに関わらず、抜き取り不可と判定する。
【００６８】
・電力分配器４の入力側の元電源から電力が遮断された状態から、電源が供給された状態に変わった時点で状態をリセットし、電流の検出がない場合、情報処理装置２から電源プラグを抜き取り可能、または抜き取り不可という通知に関わらず、抜き取り可能と判定する。
なお、電流検出無しになってから抜き取り可能の指示を状態表示器３７ａ、３７ｂにする。
【００６９】
上記説明したように誤抜防止装置１を用いることにより、運用中またはタイマーで起動待ちの各情報処理装置２の電源プラグを、電力分配器４から誤って抜くことを防止することができる。つまり、従来のように情報処理装置自身が非通電状態（起動待ち）であっても、誤抜防止装置１を用いることにより、電力分配器４に対応する情報処理装置の電源プラグ抜き取り不可の状態を表示することができる。よって、タイマーで起動待ちの情報処理装置２の電源プラグを、電力分配器４から誤って抜くことを防止することができる。
【００７０】
また、誤抜防止装置１を用いることは、複数のサーバ、端末などの情報処理装置２が設置されているシステムセンター、サーバルームなどで、床上のテーブルタップから複数台の情報処理装置２に電力を供給している場所で工事を行うときに有効である。誤って、運用中またはタイマーで起動待ちの各情報処理装置２の電源ケーブルのプラグを抜き取ることによる重大事故、損害／被害を防止することができる。また、このような事故を起こすことなくシステムセンター内の不要なケーブルなどを削減することもできる。
【００７１】
（実施例２）
実施例２は、第１の電力分配器の電力供給元に接続されるべき電源プラグが、第２の電力分配器のコンセントに接続されている場合に、第１の電力分配器の電源プラグを第２の電力分配器から抜き取り可能な状態であるかを、第２の電力分配器に表示する技術である。
【００７２】
図９は、実施例２の誤抜防止装置９０の構成を示す図である。誤抜防止装置９０は、実施例１で説明した情報処理装置２、電源遮断制御部３と実施例２で提案する第１の電力分配器９１ａ、第２の電力分配器９１ｂを備えている。
【００７３】
第１の電力分配器９１ａ、９１ｂは、実施例１で説明した電力分配器４の機能に加え、第１の電力分配器９１ａに接続されている複数の情報処理装置２の電源プラグすべてが抜き取り可能かどうかを判定する。図９の場合であれば、第１の電力分配器９１ａは各電源プラグに対する判定結果に基づいて、第１の電力分配器９１ａに接続されている全ての電源プラグが、抜き取り可能であるかを判定する。その判定結果が、電源プラグ９２を第２の電力分配器９１ｂのコンセント１２ｂから抜き取り可能であると判定された場合、第１の電力分配器９１ａが第２の電力分配器９１ｂに抜き取り可能であることを通知する。第２の電力分配器９１ｂが第１の電力分配器９１ａより通知を受信すると、実施例１で説明した電力分配器４と同様に判定処理をして、第１の電力分配器９１ａの電源プラグ９２が接続されているコンセント１２ｂに対応する状態表示器１８ｂを、抜き取り可能表示の状態にする。
【００７４】
図１０は、実施例２の電力分配器９１ａ、９１ｂの構成を示す図である。図１０では電力分配器９１ａ、９１ｂのコンセントが２個の場合について説明をする。電力分配器９１ａ、９１ｂは、電流検出器３１ａ、３１ｂ、コンセント３２ａ、３２ｂ（図９の１３ａ、１３ｂ、１４ａ、１４ｂ、１７ａ、１７ｂ）、制御部１０１、状態表示器３７ａ、３７ｂ（図９の１８、１９、１１０）、プラグ３８（図９の９２）を備えている。
【００７５】
また、本例ではフィルタ（回路）としてコイルＬ３、Ｌ４を、電力線Ｌｉｎｅ１、Ｌｉｎｅ２に設けている。コイルＬ３は、プラグ３８に接続されている電力線Ｌｉｎｅ１側と抵抗Ｒ１と抵抗Ｒ２の端子の接続点との間に設けられている。コイルＬ３は、プラグ３８に接続されている電力線Ｌｉｎｅ２側とコイルＬ２ａとコイルＬ２ｂの端子の接続点との間に設けられている。コイルＬ３、Ｌ４もコイルＬ１ａ、Ｌ１ｂ、Ｌ２ａ、Ｌ２ｂ同様、別のコンセントへの高周波信号（電源遮断判定信号）の洩れを阻止する。
【００７６】
コンデンサＣ３、Ｃ４は、電力線のノイズ除去などをするフィルタ（回路）である。コンデンサＣ３、Ｃ４は、高周波信号送信部１０３に接続されている電力線Ｌｉｎｅ１、Ｌｉｎｅ２に設けられている。コンデンサＣ３は、プラグ３８に接続されている電力線Ｌｉｎｅ２側と高周波信号送信部１０３との間に設けられている。コンデンサＣ４は、プラグ３８に接続されている電力線Ｌｉｎｅ１側と高周波信号送信部１０３との間に設けられている。
【００７７】
制御部１０１は、高周波信号受信部３４ａ、３４ｂ、メモリ３５ａ、３５ｂ、判定部３６ａ、３６ｂ、送信判定部１０２、高周波信号送信部１０３を有している。なお、制御部１０１は、ＣＰＵやプログラマブルなデバイスを用いてもよい。
【００７８】
送信判定部１０２は、判定部３６ａ、３６ｂの判定結果を取得して、判定結果が全て抜き取り可能であるか否かを判断する。そして、送信判定部１０２は、抜き取り可能と判断したとき判定部３６ａ、３６ｂから高周波信号送信部１０３に、電源プラグ９２を第２の電力分配器９１ｂのコンセント１２ｂからが抜き取り可能であることを通知する。
【００７９】
高周波信号送信部１０３は、送信判定部１０２からプラグ抜き取り判定情報を受信し、プラグ抜き取り判定情報に基づいて電源遮断可（電源プラグの抜き取り可能）、電源遮断不可（電源プラグの抜き取り不可）のどちらが設定されているかを判定する。
【００８０】
また、高周波信号送信部１０３は、電源遮断可／電源遮断不可に対応するデータを高周波に変換をして、プラグ抜き取り判定情報に基づいて電源遮断判定信号を生成する。次に、高周波信号送信部１０３は、生成した電源遮断判定信号を電力信号と合成させて第２の電力分配器９１ｂに送出する。
【００８１】
電力信号に電源遮断判定信号を合成する方法は、既存の高速電力線通信（ＰＬＣ）技術などを用いて合成させる。
【００８２】
（動作説明）
図１１は、実施例２における高周波信号の送信制御の動作を示すフロー図である。実施例１と同様の動作により各判定部３６ａ、３６ｂが判定結果を生成する。
【００８３】
ステップ１１１では、送信判定部１０２が判定部３６ａ、３６ｂの判定結果を取得する。
ステップ１１２では送信判定部１０２が、判定結果が全て抜き取り可能であると判断したときステップＳ１１４に移行し、判定結果が抜き取り不可であると判断したときステップＳ１１３に移行する。送信判定部１０２は判定結果の少なくとも一部が全て抜き取り可能であると判断したとき高周波信号送信部１０３に、図９のプラグ９２を第２の電力分配器９１ｂのコンセント１２ｂから抜き取り可能であることを通知する。例えば、判定部３６ａ、３６ｂは、抜き取り可能であるときハイレベル「１」を設定し、抜き取り不可であるときローレベル「０」を設定した信号を、判定結果として送信判定部１０２と状態表示器３７ａ、３７ｂに出力する。送信判定部１０２は、判定結果が全て「１」であるとき第１の電力分配器９１ａのプラグ９２を第２の電力分配器９１ｂのコンセント１２ｂから抜き取り可能である通知を高周波信号送信部１０３に送信する。また、送信判定部１０２は、判定結果の全てが必ずしも「１」でないとき第１の電力分配器９１ａの電源プラグ９２を第２の電力分配器９１ｂのコンセント３２ｂから抜き取り不可である通知を高周波信号送信部１０３に送信をする。
【００８４】
ステップＳ１１３では、高周波信号送信部１０３が送信判定部１０２からプラグ抜き取り判定情報を受信し、電源遮断不可（電源プラグの抜き取り不可）に対応するデータを高周波に変換する。高周波信号送信部１０３は、プラグ抜き取り判定情報に基づいて高周波に変換を行い、電源遮断判定信号を生成する。次に、高周波信号送信部１０３は、生成した電源遮断判定信号を電力信号と合成させて第２の電力分配器９１ｂに合成信号送出が行われる。
【００８５】
ステップＳ１１４では、高周波信号送信部１０３が送信判定部１０２からプラグ抜き取り判定情報を受信し、電源遮断可（電源プラグの抜き取り可能）に対応するデータを高周波に変換する。高周波信号送信部１０３は、プラグ抜き取り判定情報に基づいて高周波に変換を行い、電源遮断判定信号を生成する。次に、高周波信号送信部１０３は、生成した電源遮断判定信号を電力信号と合成させて第２の電力分配器９１ｂに合成信号送出が行われる。
【００８６】
例えば、電源遮断不可（電源プラグを抜き取り不可）を通知する電源遮断判定情報を、モールス信号のＮ（__――_−___）とした場合、（_）に「０」を対応させ、（―）に「１」を対応させ、「１」に対応した期間高周波（電源遮断判定信号）を生成する。また、電源遮断可（電源プラグを抜き取り可能）を通知する電源遮断判定情報を、モールス信号のＦ（__−_−_――_−__）とする場合についても同様に、高周波信号を生成する。なお、「１」に対応する高周波は、電力供給元電源から供給される電力信号よりも高い周波数に変換（または、変調）すればよい。好ましくは、高周波の周波数は３０ＭＨｚが望ましい。
【００８７】
ステップＳ１１５では、予め設定した時間（Ｗ秒）待ってステップＳ１１２に移行する。なお、予め決められた時間はタイマーやカウンタなどを用いて計測する。また、予め決められた時間は、限定するものではないが例えば３０秒にすることが考えられる。
【００８８】
上記説明したように誤抜防止装置９０を用いることにより、運用中またはタイマーで起動待ちの各情報処理装置２が接続されている第１の電力分配器の電源ケーブルのプラグを、第２の電力分配器から誤って抜くことを防止することができる。つまり、従来のように情報処理装置自身が非通電状態（起動待ち）であっても、誤抜防止装置９０を用いることにより、電力分配器４に対応する情報処理装置のプラグ抜き取りの可否の状態を表示することができる。
【００８９】
また、実施例１、２を用いることにより、情報処理装置（機器）と電力分配器のコンセントとの関係を管理するテーブルなどを予め作成しないでよいため、人為的ミスにより情報処理装置の電源ケーブルのプラグを、コンセントから誤って抜くことを防止することができる。つまり、テーブルを作成する段階での入力ミスなどの心配をしないでよくなる。
【００９０】
また、本発明は、上記実施の形態に限定されるものでなく、本発明の要旨を逸脱しない範囲内で種々の改良、変更が可能である。
【符号の説明】
【００９１】
１  誤抜防止装置
２  情報処理装置
３  電源遮断制御部
４  電力分配器
５  制御部
６  電源部
７  記録部
８  電源遮断指示部
９  電力線接続部
１０  信号線接続部
１１、１６  電源ケーブル
１２、１５  プラグ
１３、１４、１７  コンセント
１８、１８ａ、１８ｂ、１９、１９ａ、１９ｂ、１１０、１１０ａ、１１０ｂ  状態表示器
２１  電源遮断判定情報受信部
２２  変換部
２３  合成部
３１ａ、３１ｂ  電流検出器
３２ａ、３２ｂ  コンセント
３３  制御部
３４ａ、３４ｂ  高周波信号受信部
３５ａ、３５ｂ  メモリ
３６ａ、３６ｂ  判定部
３７ａ、３７ｂ  状態表示器
３８  プラグ
９０  誤抜防止装置
９１ａ、９１ｂ  電力分配器
９２  プラグ
Ｃ１ａ、Ｃ１ｂ、Ｃ２ａ、Ｃ２ｂ、Ｃ３、Ｃ４  コンデンサ
Ｌ１ａ、Ｌ１ｂ、Ｌ２ａ、Ｌ２ｂ、Ｌ３、Ｌ４  コイル
Ｒ１、Ｒ２  抵抗
１０１  制御部
１０２  送信判定部
１０３  高周波信号送信部
Ｌｉｎｅ１  電力線
Ｌｉｎｅ２  電力線
【図１】
2010287014.tif 000003
【図２】
2010287014.tif 000004
【図３】
2010287014.tif 000005
【図４】
2010287014.tif 000006
【図５】
2010287014.tif 000007
【図６】
2010287014.tif 000008
【図７】
2010287014.tif 000009
【図８】
2010287014.tif 000010
【図９】
2010287014.tif 000011
【図１０】
2010287014.tif 000012
【図１１】
2010287014.tif 000013